(57)【要約】      （修正有）【課題】基礎コンクリートの敷設が容易で且つ積石時の安定性に優れた擁壁用ブロックを提供する。【解決手段】この擁壁用ブロック３０ａ、３０ｂは、前方構造部３４ａと背面構造部３４ｂとが積み上げ方向に対して所定の角度傾いて形成され、上面及び下面が積み上げ方向に対して略垂直な方向に形成されているため、上面が平らな基礎コンクリート上に積石して擁壁を構築することができる。このため、基礎コンクリートの形成を容易に行うことができる。また、この擁壁用ブロック３０ａ、３０ｂは、略水平な状態で積石して擁壁を構築できるため、積石時の安定性が高い。このため、積石時の擁壁用ブロック３０ａ、３０ｂを支える支持部材を省略もしくは簡素化することができる。【選択図】図１
0003198162.tif 000002
【実用新案登録請求の範囲】
【請求項１】
擁壁面を備えた前方構造部と、前記前方構造部と所定の間隔を取って設けられた背面構造部と、前記前方構造部と背面構造部とを繋ぐ連結部と、を有し、
前記前方構造部と背面構造部の側面が背面側に向けて狭まる斜面で構成された第１の擁壁用ブロックと、前記前方構造部と背面構造部の側面が背面側に向かって広がる斜面で構成された第２の擁壁用ブロックと、を横方向に交互に組み合わせるとともに上方向に積み上げて擁壁を構築する擁壁用ブロックにおいて、
前記前方構造部と背面構造部とが積み上げ方向に対して所定の角度傾いて形成されることを特徴とする擁壁用ブロック。
【請求項２】
上面及び下面が、積み上げ方向に対して略垂直な方向に形成されることを特徴とする請求項１記載の擁壁用ブロック。
【請求項３】
前方構造部と背面構造部とが略平行に設けられ、擁壁用ブロックが側面視で下方が前方に迫り出した略平行四辺形形状を呈することを特徴とする請求項２記載の擁壁用ブロック。
【請求項４】
前方構造部と下面とのなす角が６０°〜７５°であることを特徴とする請求項１乃至請求項３のいずれかに記載の擁壁用ブロック。
【請求項５】
連結部を柱状として前方構造部と背面構造部との間に空洞部を形成し、さらに前記連結部の側面に前記空洞部と連通する連結孔が設けられ、積載状態における擁壁用ブロックの空隙が全て連通することを特徴とする請求項１乃至請求項４のいずれかに記載の擁壁用ブロック。
【考案の詳細な説明】
【技術分野】
【０００１】
本考案は、擁壁の構築等に用いる擁壁用ブロックに関するものである。
【背景技術】
【０００２】
宅地造成や道路設営、護岸等の目的で切土や盛土を行った法面に擁壁用ブロックを積み上げて擁壁を構築することが一般的に行われている。そして、このような擁壁用ブロックに関し、［特許文献１］には湾曲した擁壁を滑らかに構築することが可能な組み合わせ積みブロックに関する発明が開示されている。この［特許文献１］に記載の発明は、擁壁用ブロックを構成する前方構造部と背面構造部の両側面が背面側に向けて狭まる斜面で構成した第１の擁壁用ブロックと、背面側に向かって広がる斜面で構成した第２の擁壁用ブロックとで構成し、この第１の擁壁用ブロックと第２の擁壁用ブロックの側面の接触角度を曲面に応じて変化させることで、湾曲した擁壁を滑らかに構築することができる。
【先行技術文献】
【特許文献】
【０００３】
【特許文献１】特許第２８２０６２９号公報
【考案の概要】
【考案が解決しようとする課題】
【０００４】
しかしながら、［特許文献１］に記載の発明のような従来の擁壁用ブロック１０で擁壁を構築する場合、図６に示すように、上面が擁壁の角度に応じた斜めの基礎コンクリート５を敷設する必要があり、基礎コンクリート５を単純な型枠では形成できないという問題点がある。また、従来の擁壁用ブロック１０では、擁壁の構築に擁壁用ブロック１０を斜めに複数積み上げることとなるため、積石状態が不安定で補助金具等の支持部材で支えないと崩落する危険性がある。
【０００５】
本考案は上記事情に鑑みてなされたものであり、基礎コンクリートの敷設が容易で且つ積石時の安定性に優れた擁壁用ブロックを提供することを目的とする。
【課題を解決するための手段】
【０００６】
本考案は、
（１）擁壁面３２を備えた前方構造部３４ａと、前記前方構造部３４ａと所定の間隔を取って設けられた背面構造部３４ｂと、前記前方構造部３４ａと背面構造部３４ｂとを繋ぐ連結部３４ｃと、を有し、
前記前方構造部３４ａと背面構造部３４ｂの側面が背面側に向けて狭まる斜面３６ａ、３６ｂで構成された第１の擁壁用ブロック３０ａと、前記前方構造部３４ａと背面構造部３４ｂの側面が背面側に向かって広がる斜面３８ａ、３８ｂで構成された第２の擁壁用ブロック３０ｂと、を横方向に交互に組み合わせるとともに上方向に積み上げて擁壁を構築する擁壁用ブロックにおいて、
前記前方構造部３４ａと背面構造部３４ｂとが積み上げ方向に対して所定の角度傾いて形成されることを特徴とする擁壁用ブロック３０ａ、３０ｂを提供することにより、上記課題を解決する。
（２）上面及び下面が、積み上げ方向に対して略垂直な方向に形成されることを特徴とする上記（１）記載の擁壁用ブロック３０ａ、３０ｂを提供することにより、上記課題を解決する。
（３）前方構造部３４ａと背面構造部３４ｂとが略平行に設けられ、擁壁用ブロック３０ａ、３０ｂが側面視で下方が前方に迫り出した略平行四辺形形状を呈することを特徴とする上記（２）記載の擁壁用ブロック３０ａ、３０ｂを提供することにより、上記課題を解決する。
（４）前方構造部３４ａと下面とのなす角θが６０°〜７５°であることを特徴とする上記（１）乃至（３）のいずれかに記載の擁壁用ブロック３０ａ、３０ｂを提供することにより、上記課題を解決する。
（５）連結部３４ｃを柱状として前方構造部３４ａと背面構造部３４ｂとの間に空洞部４０を形成し、さらに前記連結部３４ｃの側面に前記空洞部４０と連通する連結孔４２が設けられ、積載状態における擁壁用ブロック３０ａ、３０ｂの空隙が全て連通することを特徴とする上記（１）乃至（４）のいずれかに記載の擁壁用ブロック３０ａ、３０ｂを提供することにより、上記課題を解決する。
【考案の効果】
【０００７】
本考案に係る擁壁用ブロックは、前方構造部と背面構造部とが積み上げ方向に対して所定の角度傾いて形成され、上面及び下面が積み上げ方向に対して略垂直な方向に形成されているため、上面が平らな基礎コンクリート上に積石して擁壁を構築することができる。このため、基礎コンクリートの形成を容易に行うことができる。また、本考案に係る擁壁用ブロックは、略水平な状態で積石して擁壁を構築できるため、積石時の安定性が高く、積石時の擁壁用ブロックを支える支持部材を省略もしくは簡素化することができる。
【図面の簡単な説明】
【０００８】
【図１】本考案に係る第１の擁壁用ブロック、第２の擁壁用ブロックを示す図である。
【図２】本考案に係る擁壁用ブロックの組み合わせ状態を示す模式図である。
【図３】本考案に係る擁壁用ブロックの組み合わせ状態を示す模式図である。
【図４】本考案に係る擁壁用ブロックを用いた擁壁の模式図である。
【図５】本考案に係る擁壁用ブロックの他の例を示す図である。
【図６】従来の擁壁用ブロックを用いた擁壁の模式図である。
【考案を実施するための形態】
【０００９】
本考案に係る擁壁用ブロック８０の実施の形態を図面に基づいて説明する。ここで、図１（ａ）、（ｂ）、（ｃ）は、本考案に係る第１の擁壁用ブロック３０ａの前面図、上面図、側面図であり、図１（ｄ）、（ｅ）、（ｆ）は本考案に係る第２の擁壁用ブロック３０ｂの前面図、上面図、側面図である。
【００１０】
本考案に係る第１の擁壁用ブロック３０ａ、第２の擁壁用ブロック３０ｂは、擁壁面３２を備えた前方構造部３４ａと、前方構造部３４ａと所定の間隔を取って設けられた背面構造部３４ｂと、これら前方構造部３４ａと背面構造部３４ｂとを繋ぐ連結部３４ｃと、を有している。そして、第１の擁壁用ブロック３０ａは、前方構造部３４ａと背面構造部３４ｂの側面が背面側に向けて狭まる斜面３６ａ、３６ｂで構成されている。また、第２の擁壁用ブロック３０ｂは、前方構造部３４ａと背面構造部３４ｂの側面が背面側に向けて広がる斜面３８ａ、３８ｂで構成されている。尚、図１に示す第１の擁壁用ブロック３０ａ、第２の擁壁用ブロック３０ｂは、連結部３４ｃを柱状として前方構造部３４ａと背面構造部３４ｂとの間に空洞部４０が設けられ、さらに連結部３４ｃの側面に空洞部４０と繋がる連結孔４２を有する。この空洞部４０、連結孔４２によって、積載状態にある擁壁用ブロック３０ａ、３０ｂの空隙は縦横方向に全て連通し、この空隙にコンクリートを流し込み固化することで、擁壁用ブロック３０ａ、３０ｂを積石の状態で一体化することができる。
【００１１】
また、本考案に係る擁壁用ブロック３０ａ、３０ｂは、図１（ｃ）、（ｆ）の側面図に示すように、前方構造部３４ａと背面構造部３４ｂの下部が前方向に迫り出しており、上下方向（積み上げ方向）に対して所定の角度傾いて形成されている。また、擁壁用ブロック３０ａ、３０ｂの上面及び下面は上下方向（積み上げ方向）に対して略垂直に形成されるとともに、前方構造部３４ａと背面構造部３４ｂとは略平行に設けられる。よって、本考案に係る擁壁用ブロック３０ａ、３０ｂは、側面視で下部が前方に迫り出し上部が背面側に迫り出した略平行四辺形形状を呈する。尚、図１（ｃ）に示すように、前方構造部３４ａと下面とのなす角θは、一般的な擁壁の傾斜角度である６０°〜７５°とすることが好ましい。
【００１２】
そして、本考案に係る擁壁用ブロック３０ａ、３０ｂは、図２、図３の模式図に示すように、第１の擁壁用ブロック３０ａと第２の擁壁用ブロック３０ｂとを横方向に交互に組み合わせながら積み上げる。この際、第１の擁壁用ブロック３０ａの斜面３６ａと第２の擁壁用ブロック３０ｂの斜面３８ａとは互いに組み合って滑らかな擁壁面を形成する。尚、第１の擁壁用ブロック３０ａと第２の擁壁用ブロック３０ｂとは斜面３６ａ、３６ｂ、斜面３８ａ、３８ｂの重なり位置を調節することで、図２（ａ）、（ｂ）に示すように、横方向の長さ調整を行うことができる。
【００１３】
また、図３（ａ）に示すように、第１の擁壁用ブロック３０ａの斜面３６ａと第２の擁壁用ブロック３０ｂの斜面３８ａとの接触角を前面が凹となるように調節しながらブロックを配置することで、凹状に湾曲した擁壁を形成することができる。反対に第１の擁壁用ブロック３０ａの斜面３６ａ、３６ｂと第２の擁壁用ブロック３０ｂの斜面３８ａ、３８ｂとの接触角を、図３（ｂ）に示すように前面が凸となるように調節しながらブロックを配置することで、凸状に湾曲した擁壁を形成することができる。このように、本考案に係る擁壁用ブロック３０ａ、３０ｂは、第１の擁壁用ブロック３０ａと第２の擁壁用ブロック３０ｂとの組み合わせ状態を変化させることで、湾曲した擁壁を滑らかに形成することができる。また、横方向の長さ調整を行うことができる。
【００１４】
そして、本考案に係る擁壁用ブロック３０ａ、３０ｂは、図３（ｃ）に示すように、擁壁用ブロック３０ａ、３０ｂを横方向に交互に組み合わせるとともに、上方向に所定の段数積み上げて擁壁を構築する。尚、図３（ｃ）においては、第２の擁壁用ブロック３０ｂを斜線で示している。
【００１５】
次に、本考案に係る擁壁用ブロック３０ａ、３０ｂで構築した擁壁の模式図を図４に示す。擁壁用ブロック３０ａ、３０ｂで擁壁を構築する場合も、従来の擁壁と同様に基礎破石３上に基礎コンクリート５を形成する。このとき、本考案に係る擁壁用ブロック３０ａ、３０ｂは、前方構造部３４ａと背面構造部３４ｂとが積み上げ方向に対して所定の角度傾いて形成され、上面及び下面が積み上げ方向に対して略垂直な方向に形成されているため、地面に水平に積石することで擁壁面が所定の角度θの斜面となる。このため、基礎コンクリート５の上面を斜めに形成する必要が無く、一般的な型枠で容易に基礎コンクリート５を形成することができる。
【００１６】
また、擁壁用ブロック３０ａ、３０ｂは地面と略水平な上面に擁壁用ブロック３０ａ、３０ｂを略水平な状態で順次積み上げて擁壁を構築するため、積石時の安定性が従来のものと比較して極めて高い。このため、積石時の擁壁用ブロック３０ａ、３０ｂを支える支持部材を省略もしくは簡素化することができる。
【００１７】
そして、所定の幅、高さ、湾曲状態で擁壁用ブロック３０ａ、３０ｂが積み上げられると、擁壁用ブロック３０ａ、３０ｂの空洞部４０及び連結孔４２にコンクリートが流し込まれ、このコンクリートが固化することで積み上げられた擁壁用ブロック３０ａ、３０ｂは積石状態で一体化する。また、これと前後して、擁壁用ブロック３０ａ、３０ｂの裏面側に裏込材７を充填し、天端コンクリート９を敷設することで擁壁が構築される。
【００１８】
尚、本発明に係る擁壁用ブロック３０ａ、３０ｂは、図１に示したものの他に図５に示すような形状のものとしても良い。ここで、図５（ａ）は、幅調整用の短幅の第１の擁壁用ブロック３０ａである。また、図５（ｂ）、（ｃ）は、擁壁の側端部に用いる第１の擁壁用ブロック３０ａである。またさらに、本発明に係る擁壁用ブロック３０ａ、３０ｂは図５（ｄ）に示すように奥行寸法を短く構成しても良い。
【００１９】
以上のように、本考案に係る擁壁用ブロック３０ａ、３０ｂは、前方構造部３４ａと背面構造部３４ｂとが積み上げ方向に対して所定の角度傾いて形成され、上面及び下面が積み上げ方向に対して略垂直な方向に形成されているため、上面が平らな基礎コンクリート５上に積石して擁壁を構築することができる。このため、基礎コンクリート５の形成を容易に行うことができる。また、本考案に係る擁壁用ブロック３０ａ、３０ｂは、略水平な状態で積石して擁壁を構築できるため、積石時の安定性が高い。このため、積石時の擁壁用ブロック３０ａ、３０ｂを支える支持部材を省略もしくは簡素化することができる。
【００２０】
尚、上記に示した擁壁用ブロック３０ａ、３０ｂの各部の構成、形状、デザイン、寸法等は一例であるから、上記の例に限定されるわけでは無く、本考案は本考案の要旨を逸脱しない範囲で変更して実施することが可能である。
【符号の説明】
【００２１】
３０ａ  第１の擁壁用ブロック
３０ｂ  第２の擁壁用ブロック
３２    擁壁面
３４ａ  前方構造部
３４ｂ  背面構造部
３４ｃ  連結部
３６ａ、３６ｂ  （第１の擁壁用ブロックの）斜面
３８ａ、３８ｂ  （第２の擁壁用ブロックの）斜面
４０    空洞部
４２    連結孔
【図１】
0003198162.tif 000003
【図２】
0003198162.tif 000004
【図３】
0003198162.tif 000005
【図４】
0003198162.tif 000006
【図５】
0003198162.tif 000007
【図６】
0003198162.tif 000008